(57)【要約】【課題】収穫機において、脱穀装置を好適に構成することが望まれていた。【解決手段】収穫機に、収穫物を脱穀処理する脱穀装置４と、脱穀装置４の左右方向外方側の横側部を覆うサイドカバー３０と、が備えられている。【選択図】図１
2020178688.tif 000002
【特許請求の範囲】
【請求項１】
収穫物を脱穀処理する脱穀装置と、前記脱穀装置の左右方向外方側の横側部を覆うサイドカバーと、が備えられた収穫機。
【発明の詳細な説明】
【技術分野】
【０００１】
本発明は、収穫機に関し、詳しくは、脱穀装置が左右方向一方側に偏倚した状態で備えられている収穫機に関する。
【背景技術】
【０００２】
上記収穫機は、脱穀装置が左右方向一方側に偏倚した状態で備えられており、脱穀装置の左右方向外方側の横側部は、機体横幅方向の外方側に臨む位置にあり、脱穀装置の左右方向外方側の横側部がサイドカバーにて覆われている。そして、収穫機の一例としてのコンバインにおいて、従来では、サイドカバーは、分割形成された複数のカバー体にて構成され、各カバー体は、左右方向外方側の表面が前後方向に沿って滑らかに連なるような形状に設けられていた。尚、各カバー体は、各別に、閉じ位置に向けて移動させるに伴って自動的に脱穀装置本体側に設けられた被係止部材に係合する弾性係合式のロック機構により位置保持される構成となっていた（例えば、特許文献１参照）。この構成では、サイドカバーは左右方向外方側の表面が前後方向に沿って滑らかに連なる構成であるから、刈取作業に伴って、植立している未刈作物がサイドカバーに接触しても、未刈作物が引っ掛かって損傷を与える等のおそれは少ない。
【先行技術文献】
【特許文献】
【０００３】
【特許文献１】特開２０１７−２１２９４９号公報
【発明の概要】
【発明が解決しようとする課題】
【０００４】
上記従来構成では、左右方向外方側の表面が前後方向に沿って滑らかに連なり、且つ、外方側への出っ張りが生じない状態で位置保持させるために、複数のカバー体毎に、複雑な構成のロック機構を備えなければならず、支持構造が複雑でコスト高を招く不利があった。
【０００５】
そこで、サイドカバーの外方側箇所において未刈作物が引っ掛かって損傷を与えることを回避しながら、サイドカバーの支持構造を簡素にして低コスト化を図ることができるようにすることが望まれていた。
【課題を解決するための手段】
【０００６】
本発明に係る収穫機の特徴構成は、収穫物を脱穀処理する脱穀装置と、脱穀処理により得られた穀粒を貯留する穀粒貯留装置とが、左右方向に並ぶ状態で備えられ、前記脱穀装置の左右方向外方側の横側部を覆うサイドカバーが備えられ、前記サイドカバーは、上側に位置する上部カバー部と、下側に位置する下部カバー部とに分割形成され、且つ、前記上部カバー部と前記下部カバー部との間の境界部において、前記上部カバー部の下端部及び前記下部カバー部の上端部のいずれか一方又は両方に、前後に亘って前記境界部に沿って線状に凹入する線状凹部が形成され、前記線状凹部に、前記サイドカバーを前記横側部に取り付け固定するための固定具が収納されている点にある。
【０００７】
本発明によれば、サイドカバーのうち、上下に分割された上部カバー部と下部カバー部との間の境界部において、前後に亘って線状凹部が形成され、この線状凹部に固定具が収納される。その結果、固定具として、例えば、ノブボルト等のように、容易に装着作業や取り外し作業が容易に行えるものでありながら簡素な構成で安価の固定具を用いるようにしても、サイドカバーの外表面から固定具が出っ張ることはなく、未刈作物が引っ掛かるおそれは少ない。
【０００８】
従って、サイドカバーの外方側箇所において未刈作物が引っ掛かって損傷を与えることを回避しながら、サイドカバーの支持構造を簡素にして低コスト化を図ることができるようにすることが可能となった。
【０００９】
本発明においては、前記線状凹部の凹入側底部における前後途中部に、左右方向外方側に向けて突出する突出部が形成され、前記突出部の左右方向内方側に凹入空間が形成され、前記サイドカバーの左右方向内方側に、前記凹入空間に入り込む状態で動力伝達用の伝動機構が備えられていると好適である。
【００１０】
本構成によれば、線状凹部の前後途中部に凹入側底部から外方側に突出する突出部が形成されている。そして、この突出部の左右方向内方側に形成された凹入空間を有効に利用して、動力伝達用の伝動機構が入り込む状態で備えられる。
【００１１】
その結果、サイドカバーと伝動機構との干渉のおそれを回避させるようにしながら、サイドカバーをできるだけ脱穀装置内方側に寄せて機体全体のコンパクトを図ることができる。
【００１２】
本発明においては、前記上部カバー部の外側面と前記下部カバー部の外側面とは、前記横側部からの左右方向での離間距離が略同じであると好適である。
【００１３】
本構成によれば、上部カバー部の外表面と下部カバー部の外表面とが左右方向に略同じ位置になるので、例えば、背高の未刈作物がサイドカバーにて摺接案内される場合であっても、茎稈が折れ曲がったりすることなく、真っすぐな立姿勢のまま良好に案内することができる。
【００１４】
本発明においては、前記下部カバー部の前下端縁が側面視で湾曲状に形成されていると好適である。
【００１５】
本構成によれば、植立している未刈作物が下部カバー部に接触した場合、未刈作物が下部カバー部にて摺動しながら後方に向けて案内される。このとき、下部カバー部の前下端縁が湾曲状に形成されているので、未刈作物を損傷させることなく円滑に摺動案内することができる。
【００１６】
本発明においては、前記下部カバー部の後部下部側箇所に左右方向内方側に向けて凹入する凹入部が形成されていると好適である。
【００１７】
本構成によれば、未刈作物が、下部カバー部により左右方向外方側に向けて倒された状態で案内されることがあっても、下部カバー部の後部側にまで案内されると、未刈作物が凹入部に沿って左右方向内方側に向けて案内され、立姿勢に戻すことができる。
【００１８】
本発明においては、前記凹入部は、前記下部カバー部の前端縁の下端部から後部側に向けて連なり、上端縁が後上がり姿勢となる状態で後部側ほど幅広に設けられていると好適である。
【００１９】
本構成によれば、未刈作物は後上がり姿勢の凹入部によって、滑らかに徐々に立姿勢に戻すように摺接案内することができる。
【００２０】
本発明においては、機体前部に位置する刈取部と、前記刈取部にて刈り取られた穀稈を前記脱穀装置に搬送するフィーダとが備えられ、前記境界部の前部が側面視で前下がり傾斜姿勢に形成され、前記上部カバー部の前部が、側面視で前記フィーダの搬送終端部の下方側箇所まで延びる状態で、前記フィーダの搬送終端部の横側を覆っていると好適である。
【００２１】
本構成によれば、上部カバー部の前部を取り外すと、フィーダの搬送終端部が開放された状態となり、メンテナンス作業を容易に行うことができる。
【図面の簡単な説明】
【００２２】
【図１】コンバインの全体左側面図である。
【図２】コンバインの全体平面図である。
【図３】コンバインの全体右側面図である。
【図４】サイドカバーの側面図である。
【図５】サイドカバーの縦断正面図である。
【図６】第１カバー体の斜視図である。
【図７】第１カバー体の斜視図である。
【図８】第３カバー体の斜視図である。
【図９】第３カバー体の斜視図である。
【図１０】第４カバー体の斜視図である。
【図１１】第４カバー体の斜視図である。
【図１２】第２カバー体の斜視図である。
【図１３】第２カバー体の斜視図である。
【図１４】上側伝動部カバーの斜視図である。
【発明を実施するための形態】
【００２３】
以下、本発明に係る実施形態をコンバインの一例としての普通型コンバインに適用した場合について図面に基づいて説明する。
【００２４】
〔全体構成〕
図１，２，３に示すように、普通型コンバインは、左右一対のクローラ走行装置１を備えた走行機体２の前部右側に運転部３が備えられ、刈り取られた作物を脱穀処理する脱穀装置４と、脱穀処理により得られた穀粒を貯留する穀粒貯留装置としての穀粒貯留部５とが備えられている。穀粒貯留部５は運転部３の後側に位置する状態で備えられ、穀粒貯留部５が機体右側に位置し、脱穀装置４が機体左側に位置する状態で、穀粒貯留部５と脱穀装置４とが機体横幅方向に沿って並んで機体フレーム６に載置支持されている。運転部３の下方にエンジン７が備えられている。運転部３には、運転座席８の上方を覆うキャノピー９が備えられている。
【００２５】
この実施形態では、機体の前後方向を定義するときは、作業状態における機体進行方向に沿って定義し、機体の左右方向を定義するときは、機体進行方向視で見た状態で左右を定義する。すなわち、図１及び図２に符号（Ｆ）で示す方向が機体前側、図１及び図２に符号（Ｂ）で示す方向が機体後側である。図２に符号（Ｌ）で示す方向が機体左側、図２に符号（Ｒ）で示す方向が機体右側である。
【００２６】
脱穀装置４の前部に横向き軸芯Ｘ周りに上下揺動自在に刈取穀稈を後方に搬送するフィーダ１０が連結され、このフィーダ１０の前端に略機体横幅に相当する刈幅を有する刈取部１１が連結されている。刈取部１１は、植立穀稈を後方に向けて掻き込む回転リール１２、植立穀稈の株元を切断して刈り取るバリカン型の刈刃１３、刈取穀稈を機体横幅方向中間側へ横送りするオーガ１４等を備えており、刈刃１３により刈り取った穀稈をオーガ１４によって横送りしてフィーダ１０に供給する。
【００２７】
〔刈取部への伝動構造〕
図１に示すように、運転部３の下方に備えられたエンジン７の動力がカウンター軸１５を通して機体左側端部に伝達される。そして、カウンター軸１５に備えられたプーリ１５ａから動力伝達用の伝動機構としての伝動ベルト１６を介して、扱胴中継軸１７に備えられたプーリ１７ａに伝達される。扱胴中継軸１７から別の伝動ベルト１８を介して揺動軸芯Ｘ上に位置する刈取入力軸１９に備えられたプーリ１９ａに伝達される。さらに、フィーダ１０に備えられた無端回動チェーン２０と従動軸２１を介して刈取部１１の右側に備えられた刈取伝動部に伝達される。図示はしていないが、刈取伝動部は、動力を、回転リール１２、刈刃１３、オーガ１４の夫々に伝達する。
【００２８】
図３に示すように、刈取伝動部のうち回転リール１２への伝動機構の右側外方を覆う上側伝動部カバー２３と、オーガ１４と刈刃１３への伝動機構を覆う下側伝動部カバー２４とが備えられている。上側伝動部カバー２３及び下側伝動部カバー２４は、夫々、合成樹脂材にて構成されている。上側伝動部カバー２３は、上縁部の複数箇所を図示しない係止部に係止させた状態で、側面を２か所をボルト連結して固定されている。又、下側伝動部カバー２４も同様に、側面を２か所をボルト連結して固定されている。
【００２９】
図１，１４に示すように、上側伝動部カバー２３のボルト装着箇所には、ボルトＢｏの外周側を覆うように円形状に凹入する凹入部２５が形成されている。又、側面の下部側には、前部下側箇所から後端部にわたって延びる大型の凹入部６０が形成されている。すなわち、側面のうちの鉛直方向に平坦な上部面２３Ａから斜め方向に徐々に左右方向内方側に入り込む傾斜面２３Ｂが形成され、傾斜面２３Ｂの下側に鉛直方向に平坦な底面２３Ｃが形成されている。傾斜面２３Ｂと底面２３Ｃとによって大型の凹入部６０が形成されている。この凹入部６０は、側面の前部下側箇所から斜め後上がり状態で延びたのち、それに連なる状態で略水平方向に側面の後端部にまで延びている。上述したように、ボルト装着箇所に凹入部２５が形成されているので、ボルトＢｏの頭部が横外方側に突出することを回避し、未刈作物が引っ掛かるおそれが少ない。
【００３０】
図３に示すように、下側伝動部カバー２４の側面における中央部に、前後方向に沿って延び且つ上下方向に幅狭の凹入溝２４ａが形成されている。このように前後方向に細長の凹入溝２４ａが形成されることにより、強度補強を図っている。
【００３１】
〔脱穀装置〕
脱穀装置４は、図示はしないが、内部に扱胴と受網とを有し、フィーダ１０より搬送されてくる刈取穀稈の扱き処理を行う扱室が形成されている。又、扱室の下部に、受網から漏下する扱き処理物を、穀粒、枝付き籾等の二番物、及び、排ワラ屑等に選別する選別処理部が備えられている。
【００３２】
選別処理部にて選別された穀粒は、図示しない一番物回収スクリューにより脱穀装置４の穀粒貯留部５側の横側外方に排出される。脱穀装置４における穀粒貯留部５側の側壁の横外側方にスクリューコンベアからなる揚穀装置２６が備えられている。脱穀装置４の穀粒貯留部５側の横側外方に排出された穀粒は、揚穀装置２６により上方に搬送され、穀粒貯留部５内に貯留される。選別処理部にて得られた二番物は脱穀装置４の前側部分に還元され、排ワラ屑等は、脱穀装置４の機体後部側から外方に排出される。
【００３３】
穀粒貯留部５は、脱穀処理された穀粒を貯留する貯留空間を有するとともにその貯留空間の下方に穀粒を排出可能な貯留用ホッパー２７を備えており、貯留用ホッパー２７の下部には穀粒を回収袋により回収するための回収部（図示せず）が備えられている。
【００３４】
〔サイドカバー〕
走行機体２の左側には、脱穀装置４の左側の横側部としての左側壁部４Aを覆うサイドカバー３０が備えられている。
図１，４に示すように、サイドカバー３０は、上側に位置する上部カバー部３１と、下側に位置する下部カバー部３２とに上下に分割形成されている。更に、上部カバー３１は、前部側上部カバー体３３（以下、第１カバー体という）と、後部側上部カバー体３４（以下、第２カバー体という）とに分割されている。第１カバー体３３は、上部カバー部３１の前部に対応しており、合成樹脂材にて構成されている。一方、第２カバー体３４は、上部カバー部３１の後部に対応しており、板金材にて構成されている。
【００３５】
下部カバー部３２は、前部側下部カバー体３５（以下、第３カバー体という）と、後部側下部カバー体３６（以下、第４カバー体という）に、前後に分割されている。第３カバー体３５及び第４カバー体３６は夫々、合成樹脂材にて構成されている。
【００３６】
図５に示すように、上部カバー部３１の外側面と下部カバー部３２の外側面とは、脱穀装置４の左側壁部４Ａからの左右方向での離間距離が略同じである。従って、上部カバー部３１の外表面と下部カバー部３２の外表面とが左右方向に略同じ位置になるので、サイドカバー３０の外表面が上下方向に沿って滑らかに連なる縦向き面を形成している。これにより、未刈作物を、茎稈が折れ曲がることなく立姿勢のまま無理なく案内することができる。
【００３７】
上部カバー部３１と下部カバー部３２との間の境界部Ｋにおいて、前端部から後端部に至るまでの前後にわたって、境界部Ｋに沿って左右方向内方側に向けて線状に凹入する線状凹部Ｑが形成されている。
【００３８】
上部カバー部３１と下部カバー部３２との間の境界部Ｋのうち前部、すなわち、第１カバー体３３と第３カバー体３５の間の境界部Ｋが側面視で前下がり傾斜姿勢に形成されている。そして、第１カバー体３３が、側面視でフィーダ１０の搬送終端部の下方側箇所まで延びる状態で、フィーダ１０の搬送終端部の横側を覆っている。第２カバー体３４は、脱穀装置４の扱室の横側外方側を覆っている。
【００３９】
上部カバー部３１と下部カバー部３２との間の境界部Ｋにおいて、下部カバー部３２の上端部に、前後に亘って境界部Ｋに沿って線状に凹入する線状凹部Ｑが形成されている。そして、その線状凹部Ｑに、サイドカバー３０を脱穀装置４の左側壁部４Ａに取り付け固定するための固定具としてのノブボルト３７が収納されている。
【００４０】
以下、各カバー体３３，３４，３５，３６の構成について説明する。
【００４１】
〔第１カバー体〕
図１，４，６，７に示すように、第１カバー体３３は、フィーダ１０の搬送終端部の左側外方側を覆う横壁部３３Ａと、横壁部３３Ａに連なる状態で横向き姿勢にて延び、脱穀装置４の左側壁部４Ａの上側前方を覆う前壁部３３Ｂとを備えている。横壁部３３Ａと前壁部３３Ｂとが連なる箇所の内側には複数の補強リブ３３Ｃが備えられている。第１カバー体３３は、横壁部３３Ａの下端縁は、前端部が最も下方に位置し且つ後方側へ向かうほど上方に位置する後上がり傾斜姿勢に形成されている。
【００４２】
第１カバー体３３は、内側下部の前後両側箇所に係止部３３Ｄが備えられ、前後両側の係止部３３Ｄを脱穀フレーム３８に支持される固定側係止具３９に上方側から入り込み係合して支持されている。又、第１カバー体３３の上部後側箇所が、ノブボルト４０によって脱穀フレーム３８に支持される固定側ブラケット４１に固定されている。ノブボルト４０を取り外して、係止部３３Ｄと固定側係止具３９との係合を解除することで容易に取り外すことができる。又、その逆の手順で容易に装着することもできる。第１カバー体３３のノブボルト４０が装着される箇所は、機体内方側に向けて凹入する凹入部４２が形成され、ノブボルト４０が横側外方に大きく出っ張ることがないようにしている。
【００４３】
〔第２カバー体〕
図１，４，１２，１３に示すように、第２カバー体３４の外側面は、正面視で上部から下端まで真っすぐに伸びる平坦面に形成されている。第２カバー体３４は、扱室の内部の点検や清掃等のメンテナンス作業を行うために、上部側の前後向き軸芯周りで揺動開閉可能に脱穀フレーム３８に支持されている。第２カバー体３４には、閉じ位置に向けて移動させるに伴って自動的に脱穀装置本体側に設けられた被係止部材に係合する周知構造の弾性係合式のロック機構４３が備えられている。
【００４４】
ロック機構４３は、第２カバー体３４の外側面から外方側へ出っ張ることがなく、しかも、外方側から手動操作によってロックを解除することができる。ロックを解除すると、そのまま第２カバー体３４を揺動開放させることができる。
【００４５】
〔第３カバー体〕
図１，４に示すように、第３カバー体３５は選別処理部の前部側箇所及び脱穀装置４の前部側の空間の一部の横側外方側を覆っている。第３カバー体３５は、第１カバー体３３の下方側並びに第２カバー体３４の前部側の下方側に沿って延びる状態で備えられている。図６，７に示すように、第３カバー体３５は、脱穀装置４の左側壁部４Ａのうちの前側下部の左側外方側を覆う横壁部６１と、横壁部６１に連なる状態で横向き姿勢にて延び、脱穀装置４の左側壁部４Ａの下側前方を覆う前壁部６２とを備えている。横壁部６１と前壁部６２とが連なる箇所の内側には複数の補強７０が備えられている。
【００４６】
第３カバー体３５の横壁部６１の上端縁は、前端部が最も下方に位置し且つ後方側へ向かうほど上方に位置する後上がり傾斜姿勢に形成されている。そして、上部カバー部３１と下部カバー部３２との間の境界部Ｋに対応する横壁部６１の上端部には、前端部から後端部にわたって、境界部Ｋに沿って左右方向内方側に向けて線状に凹入する前部側の線状凹部Ｑ１が形成されている。
【００４７】
図９に示すように、第３カバー体３５は、内側下部の後側箇所に係止部３５Ｄが備えられ、係止部７１を脱穀装置４側に備えられる固定側係止具４４に上方側から入り込み係合して支持されている。又、第３カバー体３５の上部の前後に離間した２箇所が、ノブボルト３７によって脱穀装置４側に備えられる固定側ブラケット４５に固定されている。ノブボルト３７を取り外して、係止部７１と固定側係止具４４との係合を解除することで容易に取り外すことができる。又、その逆の手順で容易に装着することもできる。
【００４８】
第３カバー体３５のノブボルト３７が装着される箇所は、機体内方側に向けて凹入する線状凹部Ｑ１が形成されている箇所である。さらに、ノブボルト３７が装着される箇所には、線状凹部Ｑ１の底面部から階段状に内方側に向けて円形状の凹入する凹入部４６が形成されている。このようにして、ノブボルト３７が第３カバー体３５の外表面から横側外方に出っ張ることがないようにしている。
【００４９】
図８に示すように、第３カバー体３５に形成される線状凹部Ｑ１の凹入側底部における前後途中部に、左右方向外方側に向けて突出する突出部４７が形成されている。この突出部４７の左右方向内方側に凹入空間４８が形成されている。第３カバー体３５の左右方向内方側に、凹入空間４８に入り込む状態で、カウンター軸１５から刈取入力軸１９に動力を伝達する伝動ベルト１６が備えられている。
【００５０】
このように構成することで、第３カバー体３５をできるだけ脱穀装置４に近づけた状態で配備させるようにしながら、伝動ベルト１６との干渉を回避させることができる。
【００５１】
第３カバー体３５の前下端縁３５Ｅが側面視で湾曲状に形成されている。この箇所は、植立している未刈作物がサイドカバー３０のうちで最初に接触する場所であり、前下端縁３５Ｅが湾曲状に形成されることにより、引っ掛かることなく円滑に案内することができる。
【００５２】
〔第４カバー体〕
図１，４に示すように、第４カバー体３６は、選別処理部の後部側箇所の横側外方側を覆っている。第４カバー体３６は、第３カバー体３５の後方側並びに第２カバー体３４の後部側の下方側に沿って延びる状態で備えられている。図１０，１１に示すように、第４カバー体３６は、脱穀装置４の左側壁部４Ａのうちの後側下部の左側外方側を覆う横壁部６３と、横壁部６３に連なる状態で横向き姿勢にて延び、脱穀装置４の左側壁部４Ａの下側後方を覆う後壁部６４とを備えている。横壁部６３と後壁部６４とが連なる箇所の内側には複数の補強リブ７２が備えられている。
【００５３】
第４カバー体３６の横壁部６３の上端縁は、前後に亘って略直線状に延び、且つ、後方側へ向かうほど少しずつ上方に位置する緩やかな後上がり傾斜姿勢に形成されている。そして、上部カバー部３１と下部カバー部３２との間の境界部Ｋに対応する横壁部６３の上端部には、前端部から後端部にわたって、境界部Ｋに沿って左右方向内方側に向けて線状に凹入する後部側の線状凹部Ｑ２が形成されている。前部側の線状凹部Ｑ１と後部側の線状凹部Ｑ２とにより、前後にわたる線状凹部Ｑが形成されている。
【００５４】
図１１に示すように、第４カバー体３６は、内側下部の前後両側に係止部７３が備えられ、係止部７３を脱穀装置４側に備えられる固定側係止具４９に上方側から入り込み係合して支持されている。又、第４カバー体３６の上部の前後に離間した２箇所が、ノブボルト３７によって脱穀フレーム３８に備えられる固定側ブラケット５０に固定されている。ノブボルト３７を取り外して、係止部７３と固定側係止具４９との係合を解除することで容易に取り外すことができる。又、その逆の手順で容易に装着することもできる。
【００５５】
第４カバー体３６のノブボルト３７が装着される箇所は、機体内方側に向けて凹入する線状凹部Ｑ２が形成されている箇所である。さらに、ノブボルト３７が装着される箇所には、線状凹部Ｑ１の底面部から階段状に左右方向内方側に向けて凹入する円形状の凹入部５１が形成されている。このようにして、ノブボルト３７が第３カバー体３５の外表面から横側外方に出っ張ることがないようにしている。
【００５６】
図１，４，８，１０に示すように、第３カバー体３５と第４カバー体３６には、前後方向に沿って一連に連なる状態で、左右方向内方側に向けて凹入する凹入部５２が形成されている。凹入部５２は、第３カバー体３５の後部下部側箇所に形成された第１凹入部５２Ａと、それに連なる状態で第４カバー体３６に下部側に形成された第２凹入部５２Ｂとからなる。
【００５７】
説明を加えると、第３カバー体３５には、上側伝動部カバー２３と同様に、横壁部６１のうちの鉛直方向に平坦な上部面３５Ａから斜め方向に徐々に左右方向内方側に入り込む傾斜面３５Ｂが形成され、傾斜面３５Ｂの下側に鉛直方向に平坦な底面３５Ｃが形成されている。傾斜面３５Ｂと底面３５Ｃとによって第１凹入部５２Ａが形成されている。
【００５８】
又、第４カバー体３６には、横壁部６３のうちの鉛直方向に平坦な上部面３６Ａから斜め方向に徐々に左右方向内方側に入り込む傾斜面３６Ｂが形成され、傾斜面３６Ｂの下側に鉛直方向に平坦な底面３６Ｃが形成されている。傾斜面３６Ｂと底面３６Ｃとによって第２凹入部５２Ｂが形成されている。
【００５９】
凹入部５２は、第３カバー体３５の前端縁の下端部から第４カバー体３６の後端部に向けて連なり、上端縁が後上がり姿勢となる状態で後部側ほど幅広に設けられている。凹入部５２は後上がり傾斜姿勢で形成されており、植立している未刈作物が無理なく立姿勢に戻るように円滑に案内することができる。
【００６０】
〔別実施形態〕
（１）上記実施形態では、下部カバー部３２の上端部に線状凹部Ｑが形成される構成としたが、このような構成に代えて、上部カバー部３１の下端部に線状凹部Ｑが形成される構成としてもよく、又、下部カバー部３２の上端部及び上部カバー部３１の下端部の夫々に線状凹部Ｑが形成される構成としてもよい。
【００６１】
（２）上記実施形態では、サイドカバー３０において、線状凹部Ｑの前後途中部に突出部４７が形成され、突出部４７の内方側に形成された凹入空間４８に伝動ベルト１６が備えられる構成としたが、この構成に代えて、伝動機構として伝動ベルト１６に代えて、伝動チェーンや伝動軸を備える構成としてもよく、又、このような凹入空間４８を形成せずに、伝動機構を回避させる状態で配設してもよい。
【００６２】
（３）上記実施形態では、上部カバー部３１の外側面と下部カバー部３２の外側面とが、脱穀装置４の左側壁部４Ａからの左右方向での離間距離が略同じである構成としたが、この構成に代えて、上部カバー部３１の外側面と下部カバー部３２の外側面との左側壁部４Ａからの左右方向での離間距離が互いに異なる構成としてもよい。
【００６３】
（４）上記実施形態では、下部カバー部３２に凹入部５２が形成され、その凹入部５２が、下部カバー部３２の前端縁の下端部から後部側に向けて連なり、上端縁が後上がり姿勢となる状態で後部側ほど幅広に設けられる構成としたが、この構成に代えて、凹入部５２が、前後方向に略同じ高さで形成されるものでもよく、このような凹入部５２を形成しない構成としてもよい。
【００６４】
（５）上記実施形態では、境界部Ｋの前部が側面視で前下がり傾斜姿勢に形成される構成としたが、このような構成に代えて、境界部Ｋが前後方向の全域に亘って直線状に延びる構成としてもよい。
【００６５】
（６）上記実施形態では、下部カバー部３２の前下端縁、すなわち、第３カバー体３５の前下端縁３５Ｅが、側面視で湾曲状に形成される構成としたが、このような構成に代えて、下部カバー部３２の前下端縁が直線状に延びる構成でもよい。
【産業上の利用可能性】
【００６６】
本発明は、普通型コンバインや自脱型コンバイン等のコンバインの他、トウモロコシ収穫機等の種々の収穫機に適用できる。
【符号の説明】
【００６７】
４                脱穀装置
５                穀粒貯留装置
１０              フィーダ
１１              刈取部
１７              伝動ベルト（伝動機構）
３０              サイドカバー
３１              上部カバー部
３２              下部カバー部
４７              突出部
４８              凹入空間
５２              凹入部
Ｋ                境界部
Ｑ、Ｑ１、Ｑ２    線状凹部
【図１】
2020178688.tif 000003
【図２】
2020178688.tif 000004
【図３】
2020178688.tif 000005
【図４】
2020178688.tif 000006
【図５】
2020178688.tif 000007
【図６】
2020178688.tif 000008
【図７】
2020178688.tif 000009
【図８】
2020178688.tif 000010
【図９】
2020178688.tif 000011
【図１０】
2020178688.tif 000012
【図１１】
2020178688.tif 000013
【図１２】
2020178688.tif 000014
【図１３】
2020178688.tif 000015
【図１４】
2020178688.tif 000016